(57)【要約】【課題】  回転ドアの占有面積を拡張することなく幅広の開口通路を形成することができるドア装置を提供する。【解決手段】  平行する内壁面を備えた一対の壁部３ａ，３ｂを有し両内壁面の間に通路７，８が形成されている区画ブース３と、この区画ブース３内に設けられ通路の屋内側、屋外側出入口が連通することを阻止した状態で回転する回転体と、この回転体を駆動する駆動手段が備えられたドア装置１において、区画ブース３は、壁部３ａ，３ｂの通路方向両端部からそれぞれ通路幅方向に延設された袖部３ｃ，３ｄ，３ｅ，３ｆを出入口７，８の左右両側に配置しており、袖部３ｃ〜３ｆは通路方向端部を中心として回転することにより、壁部３ａ，３ｂの内壁面と重なる状態で折り畳まれるように構成されているドア装置１である。【選択図】        図４
2005030095.tif 000002
【特許請求の範囲】
【請求項１】
平行する内壁面を備えた一対の壁部を有し両内壁面の間に通路が形成されている区画ブースと、この区画ブース内に設けられ上記通路の屋内側、屋外側出入口が連通することを阻止した状態で回転する回転体と、この回転体を駆動する駆動手段が備えられたドア装置において、
上記区画ブースは、上記壁部の通路方向両端部からそれぞれ通路幅方向に延設された袖部を上記出入口の左右両側に配置しており、上記袖部は上記通路方向端部を中心として回転することにより、上記壁部の内壁面と重なる状態で折り畳まれるように構成されていることを特徴とするドア装置。
【請求項２】
上記回転体は、上記区画ブースに設けられた回転軸を中心として回転する回転パネル部と、この回転パネル部の両端部に設けられ上記出入口を開閉する一対の扉パネル部とを有し、各扉パネル部は上記回転パネル部の端部を中心として回転することにより、上記回転パネル部のパネル面と重なる状態で折り畳まれるように構成されている請求項１記載のドア装置。
【請求項３】
上記袖部を折り畳み方向に自動的に移動させる付勢手段が備えられている請求項１または２記載のドア装置。
【請求項４】
上記袖部を通路幅方向に延設する状態で上記ドア装置のフレームに係止させる袖部保持手段と、この袖部保持手段による係止を解除する解除手段が備えられている請求項１〜３のいずれか１項に記載のドア装置。
【請求項５】
上記扉パネル部を折り畳み方向に自動的に移動させる第二の付勢手段が備えられている請求項１〜４のいずれか１項に記載のドア装置。
【請求項６】
上記扉パネル部を上記出入口を閉じた状態で上記ドア装置のフレームに係止させる扉パネル部保持手段と、この扉パネル部保持手段による係止を解除する第二の解除手段が備えられている請求項１〜５のいずれか１項に記載のドア装置。
【発明の詳細な説明】
【技術分野】
【０００１】
本発明は、建物の出入口に設置される風除効果を備えたドア装置に関するものである。
【背景技術】
【０００２】
従来より、密閉性に優れたドア装置として図５(ａ)に示す回転ドア５０が使用されている。この回転ドア５０は、壁５１と壁５２の間に形成された開口部にドア部５３が設けられており、このドア部５３は、回転自在に垂直方向に支持された中心軸５４と、この中心軸５４から放射状に取り付けられた複数枚の扉５５とから主として構成され、一方向に回転するようになっている。
【０００３】
一方、壁５１，５２の開口部側端部には図５(ｂ)に示すように、回転ドア５０の運転時に各扉５５の外周端によって描かれる円軌道に沿って円筒壁５６，５７が立設されている。
【０００４】
この種の回転ドア５０は、災害時の通行量を増やす目的で、或いは長尺の荷物を通過させることができるように、各扉５５および円筒壁５６，５７を折り畳むことができるように構成されたものがある。
【０００５】
例えば図６(ａ)に示すように、円筒壁５７についてはヒンジ部５７ａ′を支点として片側の円筒部５７ａ（または５７ｂ）を矢印Ｊ方向に開くことによって折り畳まれ、各扉５５については同図(ｂ)に示すように、オートヒンジによって平行な状態に折り畳まれるものが知られている。（例えば、特許文献１参照）。それにより、広幅の通路ＫおよびＬが形成される。
【特許文献１】特開平３−２６７４９０号公報（第(３)−(４)頁、第５図および第６図）
【発明の開示】
【発明が解決しようとする課題】
【０００６】
しかしながら、従来の回転ドア５０では、円筒部５６ａ，５６ｂ（または５７ａ，５７ｂ）を外側に開いて折り畳むように構成されているため、その円筒部５６ａ，５６ｂが回転する範囲については空きスペースとして確保しておく必要があり、また、各扉５５についても通行方向に沿って突出した状態で折り畳まれるため、回転ドア５０の占有面積が広くなってしまうという問題があった。
【０００７】
また、円筒壁５６の外側が通路として利用されている場合には、円筒部５６ａ，５６ｂが開くことによって通路が塞がれるという問題もある。
【０００８】
本発明は以上のような従来の回転ドアにおける課題を考慮してなされたものであり、回転ドアの占有面積を拡張することなく幅広の開口通路を形成することができるドア装置を提供するものである。
【課題を解決するための手段】
【０００９】
本発明は、平行する内壁面を備えた一対の壁部を有し両内壁面の間に通路が形成されている区画ブースと、この区画ブース内に設けられ通路の屋内側、屋外側出入口が連通することを阻止した状態で回転する回転体と、この回転体を駆動する駆動手段が備えられたドア装置において、区画ブースは、壁部の通路方向両端部からそれぞれ通路幅方向に延設された袖部を出入口の左右両側に配置しており、袖部は通路方向端部を中心として回転することにより、壁部の内壁面と重なる状態で折り畳まれるように構成されているドア装置である。
【００１０】
本発明に従えば、袖部が壁部の内壁面と重なるようにして折り畳まれるため、区画ブースを外側に展開することなく、開口通路を形成することができる。
【００１１】
本発明において、上記回転体は、区画ブースに設けられた回転軸を中心として回転する回転パネル部と、この回転パネル部の両端部に設けられ出入口を開閉する一対の扉パネル部とを有し、各扉パネル部は回転パネル部の端部を中心として回転することにより、回転パネル部のパネル面と重なる状態で折り畳まれるように構成されているドア装置である。
【００１２】
本発明に従えば、袖部は壁部の内壁面と重なった状態で折り畳まれ、扉パネル部は回転パネル部のパネル面と重なった状態で折り畳まれるため、区画ブース設置面積の範囲内で袖部と扉パネル部との双方がコンパクトに折り畳まれ、開口通路を形成することができる。
【００１３】
本発明において、袖部を折り畳み方向に自動的に移動させる、例えばオートヒンジ等の付勢手段を設けることができる。
【００１４】
また、通路幅方向に延設する状態で袖部をドア装置のフレームに係止させる袖部保持手段と、この袖部保持手段による係止を解除する解除手段とを設けることができる。ドア装置が上記付勢手段を有する場合、この解除手段によって係止を解除すると、袖部が自動的に壁部の内壁面と重なった状態で折り畳まれる。
【００１５】
また、扉パネル部を折り畳み方向に自動的に移動させる第二の付勢手段を設けることができる。この第二の付勢手段は、例えば上記オートヒンジで構成することができる。
【００１６】
また、出入口を閉じる状態で扉パネル部をドア装置のフレームに係止させる扉パネル部保持手段と、この扉パネル部保持手段による係止を解除する第二の解除手段とを設けることができる。ドア装置が上記第二の付勢手段を有する場合、この第二の解除手段によって係止を解除すると、扉パネル部が自動的に区画ブースの内側に向けて折り畳まれる。
【発明の効果】
【００１７】
以上説明したことから明らかなように、本発明によれば、袖部が壁部の内壁面と重なるようにして折り畳まれるため、区画ブースを外側に展開することなく、開口通路を形成することができる。
【００１８】
袖部に加えて扉パネル部を折り畳むように構成した本発明によれば、袖部は壁部の内壁面と重なった状態で折り畳まれ、扉パネル部は回転パネル部のパネル面と重なった状態で折り畳まれるため、区画ブース設置面積の範囲内で袖部と扉パネル部との双方がコンパクトに折り畳まれ、開口通路を形成することができる。
【００１９】
ドア装置に付勢手段と解除手段を備えた本発明によれば、解除手段によって係止を解除すると、袖部が自動的に壁部の内壁面と重なった状態で折り畳まれる。
【００２０】
ドア装置に第二の付勢手段と第二の解除手段を備えた本発明によれば、第二の解除手段によって係止を解除すると、扉パネル部が自動的に区画ブースの内側に向けて折り畳まれる。
【発明を実施するための最良の形態】
【００２１】
以下、図面に示した実施の形態に基づいて本発明を詳細に説明する。
【００２２】
図１は、本発明に係るドア装置の一実施形態を示したものである。
【００２３】
同図において、ドア装置１は、回転体としての可動パネル２と、その可動パネル２を収納する区画ブース３とを備えている。
【００２４】
可動パネル２は、回転軸R.Aを中心として所定の回転角度θ（180°以下）の範囲内で時計回りに、或いは反時計回りに交互に回転し、揺動するようになっている。
【００２５】
上記可動パネル２の上部には、円弧状に形成された一対の上側外周フレーム２ａと、これらの上側外周フレーム２ａ，２ａの中央部を互いに接続する上側接続フレーム２ｂとが備えられ、全体として平面から見てＨ状に組まれている。
【００２６】
可動パネル２の下部には、同じく円弧状に形成された一対の下側外周フレーム２ｃと、これらの下側外周フレーム２ｃ，２ｃの中央部を互いに接続する下側接続フレーム２ｄとが備えられ、Ｈ状に組まれている。
【００２７】
上側接続フレーム２ｂおよび下側接続フレーム２ｄには、回転軸R.A上に上側ピン２ｂ′および下側ピン２ｄ′がそれぞれ反対向きに突設されている。
【００２８】
上側および下側外周フレーム２ａ，２ｃは、左右両側に配置された２本の柱フレーム２ｅと接続されて窓枠状に形成されており、その窓枠内に、円弧状に成形されたガラスパネル４ａ′，４ｂ′が嵌め込まれている。
【００２９】
このガラスパネル４ａ′およびそれを囲んでいるフレームを総称して扉パネル部４ａと呼ぶ。また、ガラスパネル４ｂ′とフレームとを総称して扉パネル部４ｂと呼ぶ。
【００３０】
また、上側および下側接続フレーム２ｂ，２ｂに挟まれた状態で平板からなるガラスパネル５が嵌め込まれている。
【００３１】
このガラスパネル５およびそれを囲んでいるフレームを総称して回転パネル部５ａと呼ぶ。
【００３２】
なお、柱フレーム２ｅの回転方向各縁部には、戸挟み防止のための帯状のゴムスイッチ６が貼着されている。
【００３３】
一方、区画ブース３は上記可動パネル２を収容することができる箱構造に構成されており、Ｙ方向に対向する位置に屋外出入口７と屋内出入口８がそれぞれ設けられている。この屋外出入口７の開口幅は、後述する袖部パネル部３ｃおよび３ｄの各戸先の間隔と対応している。
【００３４】
この区画ブース３は、通行方向（通路方向）と平行に配置される一対の側壁パネル（壁部）３ａ，３ｂと、これらの側壁パネル３ａ，３ｂのＹ方向両端からそれぞれＸ方向（通路幅方向）に延設される袖部パネル（袖部）３ｃ〜３ｆとを有している。なお、上記側壁パネル３ａ，３ｂおよび袖部パネル３ｃ〜３ｆにはガラスパネルが嵌め込まれている。また、図中、９，９は建物の外壁を示している。
【００３５】
図２は、上記可動パネル２を揺動動作させる駆動装置（駆動手段）を示したものである。
【００３６】
同図において、１０は区画ブース３上方に組まれたフレームであり、このフレーム１０は、四角状に組まれた枠部１０ａと、その枠部１０ａの中心を横断する主梁部１０ｂと、枠部１０ａと主梁部１０ｂとを接続する複数の補強梁部１０ｃとから構成されている。
【００３７】
主梁部１０ｂの中心には可動パネル２の上側ピン２ｂ′を支持するための軸受１０ｄが設けられている。なお、下側ピン２ｄ′についてはフロアに埋設した軸受（図示しない）によって支持するものとする。
【００３８】
１１は補強梁部１０ｃに半円状に固定されたガイドプレートであり、このガイドプレート１１から内側に向けてブラケット１１ａが多数突設されており、各ブラケット１１ａの先端にガイドローラ１１ｂが備えられている。
【００３９】
これらのガイドローラ１１ｂはエンドレスの歯付きベルト１２を半円状にガイドするためのものであり、その歯付きベルト１２の一方はモータ１３の駆動プーリ１３ａを周回しており、他方はモータ１３と反対側のフレームに固定された従動プーリ１４を周回するようになっている。
【００４０】
また、歯付きベルト１２の略中央部分にはクランプ１５が取り付けられ、このクランプ１５は、可動パネル２の上側外周フレーム２ａと接続されている。
【００４１】
したがって、モータ１３を一定量正逆回転させると、歯付きベルト１２が矢印Ｂ方向または矢印Ｃ方向に移動し、この歯付きベルト１２に対しクランプ１５を介して固定されている可動パネル２は、出入口の中心Ｅ.Ｃを中心として左側または右側に交互に回転する。このようにして可動パネル２が揺動することによって出入口７，８が開閉される。
【００４２】
なお、図中Ｌ１およびＬ２はそれぞれセンサ１６および１７の検知領域を示しており、このドア装置１の出入口７（または８）に接近した通行者を検知したときにコントーラ１８に対して検知信号を与え、この検知信号を受けたコントローラ１８は上記モータ１３を制御して可動パネル２を揺動動作させるようになっている。
【００４３】
図３は、図１に示したドア装置１を正面から見たものである。
【００４４】
同図において、袖部パネル３ｃは、上框部３０、下框部３１、右柱部３２および左柱部３３によって窓枠状に形成されたフレーム枠３４を有し、左柱部３３の上下両端にはピン３５ａ，３５ｂが上下反対向きに突設されており、ピン３５ａは天蓋１９に設けられた軸受部１９ａによって、また、ピン３５ｂはフロアに埋設した軸受部２０によってそれぞれ軸支されている。
【００４５】
上記左柱部３３の下部にはオートヒンジ（付勢手段）２１が内蔵されている。
【００４６】
このオートヒンジ２１は、ヒンジのナックルの中にスプリングを仕掛けたものからなり、袖部パネル３ｅを支持した状態でその袖部パネル３ｅを自動的に閉じる（紙面奥行き方向に回転させる）ようになっている。
【００４７】
一方、右柱部３２にはグレモン錠（袖部保持手段）が内蔵されている。このグレモン錠は、右柱部３２の上部および下部に上ロックピン２２ａおよび下ロックピン２２ｂを有しており、各ロックピン２２ａおよび２２ｂはグレモン錠本体に内蔵されているラック・ピニオン機構を介して連動するようになっている。詳しくは、上ロックピン２２ａは通常、図示しない圧縮コイルスプリングの付勢力によって右柱部３２の上端から突出し、下ロックピン２２ｂは右柱部３２の下端から突出し、それぞれ天蓋１９に設けられた上ロック孔２２ａ′およびフロアに設けられた下ロック孔２２ｂ′に係止されているが、解除レバー（解除手段）２３が押し下げられて解除操作されると、上ロックピン２２ａは降下する一方で下ロックピン２２ｂは上昇し、上下のロックピン２２ａ，２２ｂは同時にロック解除される。
【００４８】
ロックが解除された袖部パネル３ｃは、上記オートヒンジ２１のスプリングによって付勢力が作用しているため、垂直軸Ｄを中心として紙面奥行き方向に９０°回転し、側壁パネル３ａの内壁と重なった状態で折り畳まれる。
【００４９】
袖部パネル３ｃと左右対称に配置されている袖部パネル３ｄについても、上記したオートヒンジ２１、解除レバー（図示しない）２３が備えられており、解除レバー２３を解除操作すると、垂直軸Ｅを中心として紙面奥行き方向に９０°回転し、側壁パネル３ｂの内壁と重なった状態で折り畳まれる。
【００５０】
また、屋内側の袖部パネル３ｅおよび３ｆは基本的に上記袖部パネル３ｄおよび３ｃと同じ構成であり、袖部パネル３ｅは側壁パネル３ｂの内壁と重なった状態で、袖部パネル３ｆは側壁パネル３ａの内壁と重なった状態でそれぞれ折り畳まれる。
【００５１】
次に、扉パネル部の構成について説明する。
【００５２】
扉パネル部４ａ，４ｂは、回転パネル部５ａのＹ方向端部５ｃを境として左右両側に配置されており、扉パネル部４ｂにおける左柱部４０の下部にはオートヒンジ（第二の付勢手段）４１が内蔵されている。
【００５３】
また、右柱部４２の上部には、上向き扉パネル部４ｂの上縁から突出するようにスプリングで付勢され、解除レバー（第二の解除手段）４５を下向きに解除操作した場合に降下するロックピン（扉パネル部保持手段）４６が設けられている。このロックピン４６は、上側外周フレーム２ａに設けられたロック孔２ａ′に係止されるようになっている。
【００５４】
上記扉パネル部４ｂは、垂直軸Ｆを中心して紙面奥行き方向に９０°回転し、回転パネル部５ａにおけるガラスパネル５の右側面に沿った状態で折り畳まれるようになっている。
【００５５】
また、扉パネル部４ａも基本的に上記扉パネル部４ｂと同じ構成であり、左柱部４７に備えられた解除レバー４５を解除操作すると、右柱部４８に内蔵されたオートヒンジ４１によって側壁パネル部５ａにおけるガラスパネル５の左側面に沿った状態で折り畳まれるようになっている。
【００５６】
したがって、解除レバー４５，４５をそれぞれ解除操作すると、扉パネル部４ａおよび４ｂは側壁パネル部５ａの両側に折り畳まれることになる。
【００５７】
なお、屋内側の扉パネル部４ｃ，４ｄについても屋外側の扉パネル部４ａ，４ｂと同じ構成からなりガラスパネル５の両側に折り畳まれるようになっている。
【００５８】
次に、上記構成を有するドア装置１の動作について図４を参照しながら説明する。なお、説明に際しては屋外（図面上側）から屋内（図面下側）に通行者が移動する場合を例に取り説明する。
【００５９】
図４(ａ)はドア装置１の待機状態を示しており、扉パネル部４ａ，４ｂによって出入口が閉鎖されている。
【００６０】
次に、通行者Ｐがドア装置１に接近すると、図２に示した入口側センサ１６によって検知される。検知信号を受けたコントローラ１８は、モータ１３を正転させて歯付きベルト１２を矢印Ｂ方向に移動させ、扉パネル部４ａ，４ｂを図４(ｂ)に示す一方の揺動限界まで回転させる。
【００６１】
なお、扉パネル部４ａ，４ｂの揺動範囲は予めコントローラ１８の内部メモリに記憶されているものとし、例えば回転角に応じたパルス信号をモータ１３に与えることによって、または回転角に応じてモータ２３の駆動をタイマ制御することによって揺動限界まで回転させるものとする。
【００６２】
図４(ｂ)に示すように、出入口が開かれると、通行者Ｐは区画ブース３内に入ることができる。このとき、回転パネル部５ａは区画ブース３を屋内外で遮断している。
【００６３】
次に、扉パネル部４ａ，４ｂが揺動限界まで回転してから、一定時間経過後、コントローラ１８はモータ１３を逆転させ、回転パネル部５ａを反転、すなわち、矢印Ｂ方向と反対方向に回転させる。
【００６４】
このとき、出入口７が徐々に閉じられる。そして回転パネル部５ａが二点鎖線で示す５ａ′の位置に変位すると、通行者Ｐは出入口８から通り抜けることができる。
【００６５】
このようにして反転パネル部５ａが反転するタイミングに合わせて通行者Ｐは区画ブース３の一方から入り、他方に抜けることができる。
【００６６】
次に、緊急時或いは長尺物を通すためにドア装置１の通路を開放する場合について説明する。
【００６７】
扉パネル部４ａ，４ｂ，４ｃ，４ｄに設けられている各解除レバー４５を解除操作すると、ロックピン４６が上側外周フレーム２ａから抜ける。扉パネル部４ａ〜４ｄにはオートヒンジ４１が内蔵されているため、ロックピン４６が外れた扉パネル部４ａ〜４ｄは図４(ｃ)に示すように、矢印Ｈ方向に９０°回転し、回転パネル部５ａの両側側面に沿った状態で折り畳まれる。
【００６８】
一方、袖部パネル３ｃ〜３ｄについても同様に、解除レバー２３を解除操作すると、ロックピン２２ａがロック孔２２ａ′から、また、ロックピン２２ｂがロック孔２２ｂ′からそれぞれ抜ける。
【００６９】
ロックピン２２ａ，２２ｂが外れた袖部パネル３ｃ〜３ｄは矢印Ｉ方向に９０°回転し、袖パネル部３ｄ，３ｅは側壁パネル３ｂの内壁に、袖部パネル３ｃ，３ｆは側壁パネル３ａの内壁に沿った状態で折り畳まれる。
【００７０】
その結果、ドア装置１は区画ブース３の全幅にわたって開放することができ、十分な通行量を確保することができるようになる。しかも、袖部パネル３ｃ〜３ｄはすべて区画ブース３の内側に向けて折り畳まれ、また、扉パネル部４ａ〜４ｄについても区画ブース３の内側に向けて折り畳まれるため、区画ブース３の設置面積の範囲内から突出することがなく、折り畳み用のスペースを確保する必要がない。
【００７１】
なお、上記実施形態では扉パネル部４ａ〜４ｄのすべてを折り畳むように構成したが、これに限らず、開口通路が片側だけで足りる場合には、片側の扉パネル部、例えば４ｂと４ｄのみ折り畳むように構成することもできる。それにより、製作コストを抑制することができる。
【００７２】
また、上記実施形態では回転パネル部５ａが時計方向と反時計方向に交互に回転するように構成したが、一方向に連続して回転する回転ドアであってもよい。
【００７３】
ただし、この場合、回転パネル部５ａが図４(ｃ)に示したように側壁パネル３ａと平行な位置で停止するとは限らないため、扉パネル部４ａ〜４ｄのすべてを折り畳めるようにするか、或いは、片側だけ折り畳む構成とする場合は、袖部パネル３ｄと折り畳まれる扉パネル部４ｂが対応するように回転パネル５ａを停止させる必要がある。
【００７４】
また、上記実施形態では袖パネル部３ｃ〜３ｄおよび扉パネル部４ａ〜４ｄのロックを解除する解除レバーをすべてドア装置１の内側に配設している。この構成では、解除レバーを操作するには例えば扉パネル部４ａを外側から手動で押して出入口７を開かせ、ドア装置１内に入ることになる。回転パネル部５ａを回転させずに開口通路を開放するようにするには、例えば、屋内側の袖パネル部３ｅかまたは３ｆのいずれか一方に設ける解除レバーを、屋内側に設ければよい。
【００７５】
また、上記実施形態ではロックピン２２ａ，２２ｂ、及びロックピン４６の係止を手動で解除するように構成したが、これに限らず、電磁ソレノイドを通電制御することによってロックピンを進退させロックまたはロック解除を行うように構成することもできる。
【図面の簡単な説明】
【００７６】
【図１】本発明に係るドア装置の実施形態を示す斜視図である。
【図２】図１に示すドア装置の駆動機構を示した平面図である。
【図３】図１に示すドア装置の正面図である。
【図４】図１に示すドア装置の動作を説明する説明図である。
【図５】(ａ)は従来の回転ドアの構成を示す斜視図、(ｂ)はその平面図である。
【図６】(ａ)および(ｂ)は従来の回転ドアの通路開放手順を説明する説明図である。
【符号の説明】
【００７７】
１  ドア装置
２  可動パネル
３  区画ブース
３ｃ〜３ｄ  袖部パネル
３ａ，３ｂ  側壁パネル
４ａ〜４ｄ  扉パネル部
５ａ  回転パネル部
６  ゴムスイッチ
７  屋外出入口
８  屋内出入口
９  外壁
【図１】
2005030095.tif 000003
【図２】
2005030095.tif 000004
【図３】
2005030095.tif 000005
【図４】
2005030095.tif 000006
【図５】
2005030095.tif 000007
【図６】
2005030095.tif 000008